(57)【要約】  本出願は、複数の行の第１タッチ電極を有する第１タッチ電極グループと、複数の第１列の第２タッチ電極を有する第２タッチ電極グループと、複数の第２列の第３電極を有する第３電極グループと、を含む、タッチ基板を開示する。各行における第１タッチ電極は、行方向に沿って互いに間隔を置いて配置され、各第１列における第２タッチ電極は第１列方向に沿って互いに間隔を置いて配置され、各第２列における第３電極は第２列方向に沿って互いに間隔を置いて配置され、複数の行の第１タッチ電極は複数の第１列の第２タッチ電極と交差して複数の第１交点を形成し、複数の行の第１タッチ電極は複数の第２列の第３電極と交差して複数の第２交点を形成する。２つの隣接する行から選択される２つの第１タッチ電極及び２つの隣接する第１列から選択される２つの第２タッチ電極は、第３電極を取り囲む。
2019527860.tif 000002
【特許請求の範囲】
【請求項１】
複数の行の第１タッチ電極を含む第１タッチ電極グループと、複数の第１列の第２タッチ電極を含む第２タッチ電極グループと、複数の第２列の第３電極を含む第３電極グループと、を含み、
各行における第１タッチ電極は行方向に沿って互いに間隔を置いて配置され、各第１列における第２タッチ電極は第１列方向に沿って互いに間隔を置いて配置され、各第２列における第３電極は第２列方向に沿って互いに間隔を置いて配置され、前記複数の行の第１タッチ電極は前記複数の第１列の第２タッチ電極と交差して複数の第１交点を形成し、前記複数の行の第１タッチ電極は前記複数の第２列の第３電極と交差して複数の第２交点を形成し、
２つの隣接する行から選択される２つの第１タッチ電極及び２つの隣接する第１列から選択される２つの第２タッチ電極は、第３電極を取り囲む、タッチ基板。
【請求項２】
前記第３電極グループから絶縁された層内に複数の第４電極を含む第４電極グループをさらに含み、
前記複数の第３電極及び前記複数の第４電極は、前記複数の第４電極のうちの少なくともひとつと、前記複数の第３電極のうちの少なくともひとつがタッチにより加わる圧力に応じて互いに対して移動可能であり、その結果、前記複数の第４電極のうちの前記少なくともひとつと、前記複数の第３電極のうちの前記少なくともひとつとの間に距離変化が生じ、前記距離変化に応じて検出可能な容量変化が生じるように構成される、請求項１に記載のタッチ基板。
【請求項３】
前記複数の第４電極は、各々前記複数の第３電極のうちのひとつに対応し、前記タッチ基板を平面視した際、前記複数の第４電極各々の投影は、前記複数の第３電極のうちの対応する電極の投影と少なくとも部分的に重なる、請求項２に記載のタッチ基板。
【請求項４】
前記第３電極グループと前記第４電極グループとの間に弾性層をさらに含み、前記弾性層は、タッチにより加わる圧力に応じて復元可能に変形し、その結果、前記複数の第４電極のうちの少なくともひとつと、前記複数の第３電極のうちの少なくともひとつとの間に距離変化が生じるように構成される、請求項２に記載のタッチ基板。
【請求項５】
複数の行の第１ブリッジを含む第１ブリッジ層と、複数の第１列の第２ブリッジを含む第２ブリッジ層と、複数の第２列の第３ブリッジを含む第３ブリッジ層と、をさらに含み、
前記行方向に沿って配置される２つの隣接する第１タッチ電極は各第１交点で第１ブリッジを介して電気的に接続され、前記第１列方向に沿って配置される２つの隣接する第２タッチ電極は各第１交点で第２ブリッジを介して電気的に接続され、前記第２列方向に沿って配置される２つの隣接する第３電極は各第２交点で第３ブリッジを介して電気的に接続される、請求項１に記載のタッチ基板。
【請求項６】
複数の行の第４ブリッジを含む第４ブリッジ層をさらに含み、
各第１タッチ電極は第１タッチ電極ブロック及び第２タッチ電極ブロックを含み、前記行方向に沿って隣接する第１タッチ電極ブロックと第２タッチ電極ブロックとは各第１交点で第１ブリッジを介して電気的に接続され、前記行方向に沿って隣接する第１タッチ電極ブロックと第２タッチ電極ブロックとは各第２交点で第４ブリッジを介して電気的に接続される、請求項１に記載のタッチ基板。
【請求項７】
前記第２列方向に沿って配置される前記２つの隣接する第３電極を電気的に接続する前記第３ブリッジは、第２交点で前記第４ブリッジを介して電気的に接続される前記隣接する第１タッチ電極ブロック及び第２タッチ電極ブロックと間隔を置いて配置され、絶縁される、請求項６に記載のタッチ基板。
【請求項８】
前記第３電極は、前記第３電極を取り囲む２つの隣接する行から選択される前記２つの第１タッチ電極及び２つの隣接する第１列から選択される前記２つの第２タッチ電極のうちの少なくともひとつの対応部分の境界を実質的に補完する境界を有する、請求項１に記載のタッチ基板。
【請求項９】
請求項１に記載のタッチ基板及び前記タッチ基板に対向する追加タッチ基板を含む、タッチパネル。
【請求項１０】
前記第３電極グループから絶縁された層内に複数の第４電極を含む第４電極グループをさらに含み、
前記複数の第３電極及び前記複数の第４電極は、前記複数の第４電極のうちの少なくともひとつと、前記複数の第３電極のうちの少なくともひとつがタッチにより加わる圧力に応じて互いに対して移動可能であり、その結果、前記複数の第４電極のうちの前記少なくともひとつと、前記第３電極のうちの前記少なくともひとつとの間に距離変化が生じ、前記距離変化に応じて検出可能な容量変化が生じるように構成される、請求項９に記載のタッチパネル。
【請求項１１】
前記第３電極グループは前記タッチ基板内に配置され、前記第４電極グループは前記追加タッチ基板内に配置される、請求項１０に記載のタッチパネル。
【請求項１２】
前記複数の第４電極は、各々前記複数の第３電極のうちのひとつに対応し、前記タッチ基板を平面視した際、前記複数の第４電極各々の投影は、前記複数の第３電極のうちの対応する電極の投影と少なくとも部分的に重なる、請求項１０に記載のタッチパネル。
【請求項１３】
前記第３電極グループと前記第４電極グループとの間に弾性層をさらに含み、前記弾性層は、タッチにより加わる圧力に応じて復元可能に変形し、その結果、前記複数の第４電極のうちの少なくともひとつと、前記複数の第３電極のうちの少なくともひとつとの間に距離変化が生じるように構成される、請求項１０に記載のタッチパネル。
【請求項１４】
前記タッチ基板は、複数の行の第１ブリッジを含む第１ブリッジ層と、複数の第１列の第２ブリッジを含む第２ブリッジ層と、複数の第２列の第３ブリッジを含む第３ブリッジ層と、をさらに含み、
前記行方向に沿って配置される２つの隣接する第１タッチ電極は各第１交点で第１ブリッジを介して電気的に接続され、前記第１列方向に沿って配置される２つの隣接する第２タッチ電極は各第１交点で第２ブリッジを介して電気的に接続され、前記第２列方向に沿って配置される２つの隣接する第３電極は各第２交点で第３ブリッジを介して電気的に接続される、請求項９に記載のタッチパネル。
【請求項１５】
前記タッチ基板は、複数の行の第４ブリッジを含む第４ブリッジ層をさらに含み、
各第１タッチ電極は第１タッチ電極ブロック及び第２タッチ電極ブロックを含み、前記行方向に沿って隣接する第１タッチ電極ブロックと第２タッチ電極ブロックとは各第１交点で第１ブリッジを介して電気的に接続され、前記行方向に沿って隣接する第１タッチ電極ブロックと第２タッチ電極ブロックとは各第２交点で第４ブリッジを介して電気的に接続される、請求項９に記載のタッチパネル。
【請求項１６】
前記第２列方向に沿って配置される前記２つの隣接する第３電極を電気的に接続する前記第３ブリッジは、第２交点で前記第４ブリッジを介して電気的に接続される前記隣接する第１タッチ電極ブロック及び第２タッチ電極ブロックと間隔を置いて配置され、絶縁される、請求項１５に記載のタッチパネル。
【請求項１７】
前記第３電極は、前記第３電極を取り囲む２つの隣接する行から選択される前記２つの第１タッチ電極及び２つの隣接する第１列から選択される前記２つの第２タッチ電極のうちの少なくともひとつの対応部分の境界を実質的に補完する境界を有する、請求項９に記載のタッチパネル。
【請求項１８】
前記タッチパネルはオンセル型タッチパネルであり、前記タッチ基板はアレイ基板であり、前記追加タッチ基板はパッケージ基板であり、前記弾性層は前記タッチ基板と前記追加タッチ基板とをボンディングするための光学透明樹脂層である、請求項１３に記載のタッチパネル。
【請求項１９】
前記タッチパネルはインセル型タッチパネルであり、前記タッチ基板はアレイ基板であり、前記追加タッチ基板はパッケージ基板であり、前記弾性層は前記タッチ基板と前記追加タッチ基板とをボンディングするための光学透明樹脂層である、請求項１３に記載のタッチパネル。
【請求項２０】
前記タッチパネルはアドオン型タッチパネルルであり、前記タッチ基板はパッケージ基板であり、前記追加タッチ基板はアレイ基板であり、前記弾性層は前記タッチ基板と前記追加タッチ基板とをボンディングするための光学透明樹脂層である、請求項１３に記載のタッチパネル。
【請求項２１】
前記タッチパネルはＯＧＳタッチパネルである、請求項２０に記載のタッチパネル。
【請求項２２】
前記タッチパネルはガラス・フィルム・フィルム型タッチパネルである、請求項２０に記載のタッチパネル。
【請求項２３】
第１タッチ電極の数、第２タッチ電極の数及び第３電極の数の間の割合は、１：１：１から１０：１０：１の範囲にある、請求項９に記載のタッチパネル。
【請求項２４】
請求項９から２３のいずれか一項に記載のタッチパネルを含む、タッチ装置。
【請求項２５】
各行における第１タッチ電極は行方向に沿って互いに間隔を置いて形成される、複数の行の第１タッチ電極を含む第１タッチ電極グループを形成する工程と、
各第１列における第２タッチ電極は第１列方向に沿って互いに間隔を置いて形成され、前記複数の行の第１タッチ電極は前記複数の第１列の第２タッチ電極と交差して複数の第１交点を形成する、複数の第１列の第２タッチ電極を含む第２タッチ電極グループを形成する工程と、
第２列における第３電極は第２列方向に沿って互いに間隔を置いて形成され、前記複数の行の第１タッチ電極は前記複数の第２列の第３電極と交差して複数の第２交点を形成する、複数の第２列の第３電極を含む第３電極グループを形成する工程と、を含み、
２つの隣接する行から選択される２つの第１タッチ電極及び２つの隣接する第１列から選択される２つの第２タッチ電極は、第３電極を取り囲むように形成される、タッチパネルの製造方法。
【請求項２６】
複数の第４電極は、各々前記複数の第３電極のうちのひとつに対応し、前記タッチパネルを平面視した際、前記複数の第４電極各々の投影は、前記複数の第３電極のうちの対応する電極の投影と少なくとも部分的に重なり、前記第３電極グループから絶縁された層内に複数の第４電極を含む第４電極グループを形成する工程をさらに含む、請求項２５に記載のタッチパネルの製造方法。
【請求項２７】
前記第３電極グループと前記第４電極グループとの間に、タッチにより加わる圧力に応じて変形するように構成される弾性層を形成する工程をさらに含む、請求項２６に記載のタッチパネルの製造方法。
【請求項２８】
前記行方向に沿って配置される２つの隣接する第１タッチ電極が各第１交点で第１ブリッジを介して電気的に接続される、複数の行の第１ブリッジを含む第１ブリッジ層を形成する工程と、
前記第１列方向に沿って配置される２つの隣接する第２タッチ電極が各第１交点で第２ブリッジを介して電気的に接続される、複数の第１列の第２ブリッジを含む第２ブリッジ層を形成する工程と、
前記第２列方向に沿って配置される２つの隣接する第３電極が各第２交点で第３ブリッジを介して電気的に接続される、複数の第２列の第３ブリッジを含む第３ブリッジ層を形成する工程と、をさらに含む、請求項２５に記載のタッチパネルの製造方法。
【請求項２９】
複数の行の第４ブリッジを含む第４ブリッジ層を形成する工程をさらに含み、
前記第１タッチ電極グループを形成する工程は、複数の第１タッチ電極ブロック及び複数の第２タッチ電極ブロックを形成する工程を含み、前記複数の第１タッチ電極は第１タッチ電極ブロック及び第２タッチ電極ブロックを各々含むように形成され、
前記行方向に沿って隣接する第１タッチ電極ブロックと第２タッチ電極ブロックとは各第１交点で第１ブリッジを介して電気的に接続され、前記行方向に沿って隣接する第１タッチ電極ブロックと第２タッチ電極ブロックとは各第２交点で第４ブリッジを介して電気的に接続される、請求項２８に記載のタッチパネルの製造方法。
【請求項３０】
前記第２列方向に沿って配置される前記２つの隣接する第３電極を電気的に接続する前記第３ブリッジは、第２交点で前記第４ブリッジを介して電気的に接続される前記隣接する第１タッチ電極ブロック及び第２タッチ電極ブロックと間隔を置いて形成され、絶縁される、請求項２９に記載のタッチパネルの製造方法。
【請求項３１】
前記第３電極は、前記第３電極を取り囲む２つの隣接する行から選択される前記２つの第１タッチ電極及び２つの隣接する第１列から選択される前記２つの第２タッチ電極のうちの少なくともひとつの対応部分の境界を実質的に補完する境界を有するように形成される、請求項２５に記載のタッチパネルの製造方法。
【請求項３２】
前記第３電極グループ及び前記第４電極グループは、同一のタッチ基板内に形成される、請求項２６に記載のタッチパネルの製造方法。
【請求項３３】
前記第３電極グループ及び前記第４電極グループは、タッチ基板及び前記タッチ基板に対向する追加タッチ基板から選択される２つの異なる基板内にそれぞれに形成される、請求項２６に記載のタッチパネルの製造方法。
【発明の詳細な説明】
【技術分野】
【０００１】
本発明は、タッチ制御技術に関し、特に、タッチ基板、タッチパネル及びタッチパネルを有するタッチ装置、並びにタッチパネルの製造方法に関する。
【背景技術】
【０００２】
従来のタッチ素子は、一般的に、抵抗性、容量性、光学的、音波的及び電磁気的設計に分けられる。近年、携帯電話、コンピュータ表示パネル、タッチスクリーン、衛星航法装置、デジタルカメラ等の多くの電子装置においてタッチ素子が広く使用されている。
【発明の概要】
【発明が解決しようとする課題】
【０００３】
従来の容量型タッチ素子では、タッチセンシング電極を介して指によるキャパシタの容量変化を検出することで、指がタッチした表示パネル上のポイントが検出される。従来のタッチ素子は、タッチイベントの二次元的位置のみ検出可能であり、タッチイベントの三次元、即ち、タッチにより加わる圧力を検出することができない。
【課題を解決するための手段】
【０００４】
ひとつの方面において、本発明は、複数の行の第１タッチ電極を含む第１タッチ電極グループと、複数の第１列の第２タッチ電極を含む第２タッチ電極グループと、複数の第２列の第３電極を含む第３電極グループと、を含むタッチ基板を提供する。各行における第１タッチ電極は行方向に沿って互いに間隔を置いて配置され、各第１列における第２タッチ電極は第１列方向に沿って互いに間隔を置いて配置され、各第２列における第３電極は第２列方向に沿って互いに間隔を置いて配置され、前記複数の行の第１タッチ電極は前記複数の第１列の第２タッチ電極と交差して複数の第１交点を形成し、前記複数の行の第１タッチ電極は前記複数の第２列の第３電極と交差して複数の第２交点を形成する。２つの隣接する行から選択される２つの第１タッチ電極及び２つの隣接する第１列から選択される２つの第２タッチ電極は、第３電極を取り囲む。
【０００５】
前記タッチ基板は、前記第３電極グループから絶縁された層内に複数の第４電極を含む第４電極グループをさらに含み、前記複数の第３電極及び前記複数の第４電極は、前記複数の第４電極のうちの少なくともひとつと、前記複数の第３電極のうちの前記少なくともひとつがタッチにより加わる圧力に応じて互いに対して移動可能であり、その結果、前記複数の第４電極のうちの少なくともひとつと、前記複数の第３電極のうちの前記少なくともひとつとの間に距離変化が生じ、前記距離変化に応じて検出可能な容量変化が生じるように構成されてもよい。
【０００６】
前記複数の第４電極は、各々前記複数の第３電極のうちのひとつに対応し、前記タッチ基板を平面視した際、前記複数の第４電極各々の投影は、前記複数の第３電極のうちの対応する電極の投影と少なくとも部分的に重なってもよい。
【０００７】
前記タッチ基板は、前記第３電極グループと前記第４電極グループとの間に弾性層をさらに含み、前記弾性層は、タッチにより加わる圧力に応じて復元可能に変形し、その結果、前記複数の第４電極のうちの少なくともひとつと、前記複数の第３電極のうちの少なくともひとつとの間に距離変化が生じるように構成されてもよい。
【０００８】
前記タッチ基板は、複数の行の第１ブリッジを含む第１ブリッジ層と、複数の第１列の第２ブリッジを含む第２ブリッジ層と、複数の第２列の第３ブリッジを含む第３ブリッジ層と、をさらに含み、前記行方向に沿って配置される２つの隣接する第１タッチ電極は各第１交点で第１ブリッジを介して電気的に接続され、前記第１列方向に沿って配置される２つの隣接する第２タッチ電極は各第１交点で第２ブリッジを介して電気的に接続され、前記第２列方向に沿って配置される２つの隣接する第３電極は各第２交点で第３ブリッジを介して電気的に接続されてもよい。
【０００９】
前記タッチ基板は、複数の行の第４ブリッジを含む第４ブリッジ層をさらに含み、各第１タッチ電極は第１タッチ電極ブロック及び第２タッチ電極ブロックを含み、前記行方向に沿って隣接する第１タッチ電極ブロックと第２タッチ電極ブロックとは各第１交点で第１ブリッジを介して電気的に接続され、前記行方向に沿って隣接する第１タッチ電極ブロックと第２タッチ電極ブロックとは各第２交点で第４ブリッジを介して電気的に接続されてもよい。
【００１０】
前記第２列方向に沿って配置される前記２つの隣接する第３電極を電気的に接続する前記第３ブリッジは、第２交点で前記第４ブリッジを介して電気的に接続される前記隣接する第１タッチ電極ブロック及び第２タッチ電極ブロックと間隔を置いて配置され、絶縁されてもよい。
【００１１】
前記第３電極は、前記第３電極を取り囲む２つの隣接する行から選択される前記２つの第１タッチ電極及び２つの隣接する第１列から選択される前記２つの第２タッチ電極のうちの少なくともひとつの対応部分の境界を実質的に補完する境界を有してもよい。
【００１２】
別の方面において、本発明は、本発明に述べるタッチ基板及び前記タッチ基板に対向する追加タッチ基板を含む、タッチパネルを提供する。
【００１３】
前記タッチパネルは、前記第３電極グループから絶縁された層内に複数の第４電極を含む第４電極グループをさらに含み、前記複数の第３電極及び前記複数の第４電極は、前記複数の第４電極のうちの少なくともひとつと、前記複数の第３電極のうちの少なくともひとつがタッチにより加わる圧力に応じて互いに対して移動可能であり、その結果、前記複数の第４電極のうちの前記少なくともひとつと、前記第３電極のうちの前記少なくともひとつとの間に距離変化が生じ、前記距離変化に応じて検出可能な容量変化が生じるように構成されてもよい。
【００１４】
前記第３電極グループは前記タッチ基板内に配置され、前記第４電極グループは前記追加タッチ基板内に配置されてもよい。
【００１５】
前記複数の第４電極は、各々前記複数の第３電極のうちのひとつに対応し、前記タッチ基板を平面視した際、前記複数の第４電極各々の投影は、前記複数の第３電極のうちの対応する電極の投影と少なくとも部分的に重なってもよい。
【００１６】
前記タッチパネルは、前記第３電極グループと前記第４電極グループとの間に弾性層をさらに含み、前記弾性層は、タッチにより加わる圧力に応じて復元可能に変形し、その結果、前記複数の第４電極のうちの少なくともひとつと、前記複数の第３電極のうちの少なくともひとつとの間に距離変化が生じるように構成されてもよい。
【００１７】
前記タッチ基板は、複数の行の第１ブリッジを含む第１ブリッジ層と、複数の第１列の第２ブリッジを含む第２ブリッジ層と、複数の第２列の第３ブリッジを含む第３ブリッジ層と、をさらに含んでもよい。前記行方向に沿って配置される２つの隣接する第１タッチ電極は各第１交点で第１ブリッジを介して電気的に接続され、前記第１列方向に沿って配置される２つの隣接する第２タッチ電極は各第１交点で第２ブリッジを介して電気的に接続され、前記第２列方向に沿って配置される２つの隣接する第３電極は各第２交点で第３ブリッジを介して電気的に接続される。
【００１８】
前記タッチ基板は、複数の行の第４ブリッジを含む第４ブリッジ層をさらに含んでもよい。各第１タッチ電極は第１タッチ電極ブロック及び第２タッチ電極ブロックを含み、前記行方向に沿って隣接する第１タッチ電極ブロックと第２タッチ電極ブロックとは各第１交点で第１ブリッジを介して電気的に接続され、前記行方向に沿って隣接する第１タッチ電極ブロックと第２タッチ電極ブロックとは各第２交点で第４ブリッジを介して電気的に接続される。
【００１９】
前記第２列方向に沿って配置される前記２つの隣接する第３電極を電気的に接続する前記第３ブリッジは、第２交点で前記第４ブリッジを介して電気的に接続される前記隣接する第１タッチ電極ブロック及び第２タッチ電極ブロックから間隔を置いて配置され、絶縁されてもよい。
【００２０】
前記第３電極は、前記第３電極を取り囲む２つの隣接する行から選択される前記２つの第１タッチ電極及び２つの隣接する第１列から選択される前記２つの第２タッチ電極のうちの少なくともひとつの対応部分の境界を実質的に補完する境界を有してもよい。
【００２１】
前記タッチパネルはオンセル型タッチパネルであり、前記タッチ基板はアレイ基板であり、前記追加タッチ基板はパッケージ基板であり、前記弾性層は前記タッチ基板と前記追加タッチ基板とをボンディングするための光学透明樹脂層であってもよい。
【００２２】
前記タッチパネルはインセル型タッチパネルであり、前記タッチ基板はアレイ基板であり、前記追加タッチ基板はパッケージ基板であり、前記弾性層は前記タッチ基板と前記追加タッチ基板とをボンディングするための光学透明樹脂層であってもよい。
【００２３】
前記タッチパネルはアドオン型タッチパネルルであり、前記タッチ基板はパッケージ基板であり、前記追加タッチ基板はアレイ基板であり、前記弾性層は前記タッチ基板と前記追加タッチ基板とをボンディングするための光学透明樹脂層であってもよい。
【００２４】
前記タッチパネルはＯＧＳタッチパネルであってもよい。
【００２５】
前記タッチパネルはガラス・フィルム・フィルム型タッチパネルであってもよい。
【００２６】
第１タッチ電極の数、第２タッチ電極の数及び第３電極の数の間の割合は、１：１：１から１０：１０：１の範囲にあってもよい。
【００２７】
別の方面において、本発明は、各行における第１タッチ電極は行方向に沿って互いに間隔を置いて形成される、複数の行の第１タッチ電極を含む第１タッチ電極グループを形成する工程と、各第１列における第２タッチ電極は第１列方向に沿って互いに間隔を置いて形成され、前記複数の行の第１タッチ電極は複数の第１列の第２タッチ電極と交差して複数の第１交点を形成する、複数の第１列の第２タッチ電極を含む第２タッチ電極グループを形成する工程と、各第２列における第３電極は第２列方向に沿って互いに間隔を置いて形成され、前記複数の行の第１タッチ電極は前記複数の第２列の第３電極と交差して複数の第２交点を形成する、複数の第２列の第３電極を含む第３電極グループを形成する工程と、を含む、タッチパネルの製造方法を提供する。２つの隣接する行から選択される２つの第１タッチ電極及び２つの隣接する第１列から選択される２つの第２タッチ電極は、第３電極を取り囲むように形成される。
【００２８】
タッチパネルの製造方法は、前記複数の第４電極は、各々前記複数の第３電極のうちのひとつに対応し、前記タッチパネルを平面視した際、前記複数の第４電極各々の投影は、前記複数の第３電極のうちの対応する電極の投影と少なくとも部分的に重なり、前記第３電極グループから絶縁された層内に複数の第４電極を含む第４電極グループを形成する工程をさらに含んでもよい。
【００２９】
前記タッチパネルの製造方法は、前記第３電極グループと前記第４電極グループとの間に、タッチにより加わる圧力に応じて変形するように構成される弾性層を形成する工程をさらに含んでもよい。
【００３０】
前記タッチパネルの製造方法は、前記行方向に沿って配置される２つの隣接する第１タッチ電極が各第１交点で第１ブリッジを介して電気的に接続される、複数の行の第１ブリッジを含む第１ブリッジ層を形成する工程と、前記第１列方向に沿って配置される２つの隣接する第２タッチ電極が各第１交点で第２ブリッジを介して電気的に接続される、複数の第１列の第２ブリッジを含む第２ブリッジ層を形成する工程と、前記第２列方向に沿って配置される２つの隣接する第３電極が各第２交点で第３ブリッジを介して電気的に接続される、複数の第２列の第３ブリッジを含む第３ブリッジ層を形成する工程と、をさらに含んでもよい。
【００３１】
前記タッチパネルの製造方法は、複数の行の第４ブリッジを含む第４ブリッジ層を形成する工程をさらに含んでもよい。
【００３２】
前記第１タッチ電極グループを形成する工程は、複数の第１タッチ電極ブロック及び複数の第２タッチ電極ブロックを形成する工程を含み、前記複数の第１タッチ電極は第１タッチ電極ブロック及び第２タッチ電極ブロックを各々含むように形成され、前記行方向に沿って隣接する第１タッチ電極ブロックと第２タッチ電極ブロックとは各第１交点で第１ブリッジを介して電気的に接続され、前記行方向に沿って隣接する第１タッチ電極ブロックと第２タッチ電極ブロックとは各第２交点で第４ブリッジを介して電気的に接続されてもよい。
【００３３】
前記第２列方向に沿って配置される前記２つの隣接する第３電極を電気的に接続する前記第３ブリッジは、第２交点で前記第４ブリッジを介して電気的に接続される前記隣接する第１タッチ電極ブロック及び第２タッチ電極ブロックと間隔を置いて形成され、絶縁されてもよい。
【００３４】
前記第３電極は、前記第３電極を取り囲む２つの隣接する行から選択される前記２つの第１タッチ電極及び２つの隣接する第１列から選択される前記２つの第２タッチ電極のうちの少なくともひとつの対応部分の境界を実質的に補完する境界を有するように形成されてもよい。
【００３５】
前記第３電極グループ及び前記第４電極グループは、同一のタッチ基板内に形成されてもよい。
【００３６】
前記第３電極グループ及び前記第４電極グループは、タッチ基板及び前記タッチ基板に対向する追加タッチ基板から選択される２つの異なる基板内にそれぞれに形成されてもよい。
【００３７】
別の方面において、本発明は、本発明で述べる、又は本発明で述べる方法により製造されるタッチパネルを含むタッチ装置を提供する。
【００３８】
以下の図面は開示された様々な実施形態の例にすぎず、本発明の範囲を限定するものではない。
【図面の簡単な説明】
【００３９】
【図１Ａ】図１Ａは、いくつかの実施形態におけるタッチ基板の構造を示す模式図である。
【図１Ｂ】図１Ｂは、図１Ａの点線で囲まれた部分の拡大図である。
【図２Ａ】図２Ａは、いくつかの実施形態における表示パネルの構造を示す模式図である。
【図２Ｂ】図２Ｂは、いくつかの実施形態における圧力感知電極の構造を示す模式図である。
【図２Ｃ】図２Ｃは、いくつかの実施形態における圧力感知電極の構造を示す模式図である。
【図２Ｄ】図２Ｄは、いくつかの実施形態における表示パネルの構造を示す模式図である。
【図３Ａ】図３Ａは、いくつかの実施形態におけるタッチパネルの構造を示す模式図である。
【図３Ｂ】図３Ｂは、いくつかの実施形態におけるタッチパネルの構造を示す模式図である。
【図３Ｃ】図３Ｃは、いくつかの実施形態におけるタッチパネルの構造を示す模式図である。
【図４】図４は、いくつかの実施形態におけるタッチパネルの製造方法を示すフロ−チャートである。
【発明を実施するための形態】
【００４０】
以下では、実施形態を参照しつつ、本開示についてより具体的に説明する。なお、いくつかの実施形態に関する以下の説明は例示及び説明としてのものに過ぎず、全てを網羅している訳ではなく、また、開示されるそのままの形態に本発明を限定するものでもない。
【００４１】
ひとつの方面において、本開示は、新規な立体型タッチ基板（例えば、タッチ表示基板）、立体型タッチ基板を有するタッチパネル（例えば、タッチ表示パネル）及びタッチパネルの製造方法を提供する。いくつかの実施形態において、立体型タッチ基板は、タッチにより生じた容量変化を検出することでタッチイベントのタッチ位置を検出する第１タッチ電極グループ及び第２タッチ電極グループを含む。例えば、第１タッチ電極グループ及び第２タッチ電極グループは、相互容量型タッチパネルにおけるタッチ電極グループ又は自己容量型タッチパネルにおけるタッチ電極グループであってもよい。本発明のタッチ基板は、加わえられた圧力を検出するための圧力感知電極をさらに含む。いくつかの実施形態において、圧力感知電極は単一の圧力感知電極であり、例えば、タッチ基板は、単一層内に複数の圧力感知電極を含む。いくつかの実施形態において、本発明のタッチ基板は、圧力が加わったことに起因する一対の圧力感知電極の間の距離変化により加わる圧力を検出するための一対の圧力感知電極を含む。一対の圧力感知電極を互いに間隔を置いて配置することで、タッチ位置の周辺に配置される第４電極グループの部分と第３電極グループの対応部分がタッチにより加わる圧力に応じて互いに対して移動可能（例えば、互いに対して移動可能）となり、その結果、第４電極グループの部分と第３電極グループの対応部分との間に距離変化が生じ、この距離変化に応じて検出可能な容量変化が生じる。例えば、第３電極グループと第４電極グループのうちのひとつ（タッチオブジェクトに近いもの）は、タッチに応じてもう一方のグループに向かって移動可能である。一対の圧力感知電極は、タッチにより加わる圧力に応じて変形する弾性層を少なくとも介して間隔を置いて配置されてもよい。一対の圧力感知電極及び弾性層のすべてがひとつのタッチ基板（例えば、アレイ基板又はパッケージ基板）内に配置されてもよい。或いは、一対の圧力感知電極は、２つの異なるタッチ基板、例えば、ひとつはアレイ基板内に、もうひとつはパッケージ基板内に配置されてもよい。それ故、弾性層は光学透明樹脂層であってもよい。弾性層は、気層、即ち、第３電極グループと第４電極グループとの間の間隙であってもよい。例えば、アレイ基板とパッケージ基板とは、２つの基板を接着するための表示パネルの周辺部におけるボンディング層によりフレームシーリングされ、その結果、２つの基板の間に空きスペースが生じてもよい。一対の圧力感知電極は、タッチに応じて互いに対して移動可能である。
【００４２】
第１タッチ電極グループ、第２タッチ電極グループ及び第３電極グループは、同一層内に配置されてもよい。第１タッチ電極グループ、第２タッチ電極グループ及び第３電極グループは、２つ以上の層内に配置されてもよい。例えば、第３電極グループは第１層内に、第１タッチ電極グループ及び第２タッチ電極グループは第２層内に配置され、第１層は第２層と異なってもよい。第１タッチ電極グループ、第２タッチ電極グループ及び第３電極グループは、３つの異なる層内に配置されてもよい。
【００４３】
ひとつの方面において、本開示は、第１タッチ電極グループ、第２タッチ電極グループ及び第３電極グループを含むタッチ基板を提供する。例えば、第３電極グループは、単一の電極層内における隣接する第３電極ブロックの間のフリンジ容量の変化を検出することで、加えられた圧力を感知する単一の電極層であってもよい。いくつかの実施形態において、第３電極グループは一対の圧力感知電極のうちのひとつである。いくつかの実施形態において、タッチ基板は、複数の行の第１タッチ電極を有する第１タッチ電極グループと、複数の第１列の第２タッチ電極を有する第２タッチ電極グループと、複数の第２列の第３電極を有する第３電極グループ（例えば、加えられた圧力を検出する単一電極層、又は加えられた圧力を検出する一対の圧力感知電極のうちのひとつ）と、を含む。各行における第１タッチ電極は、行方向に沿って互いに間隔を置いて配置される。各第１列における第２タッチ電極は、第１列方向に沿って互いに間隔を置いて配置される。第２列における第３電極は、第２列方向に沿って互いに間隔を置いて配置される。複数の行の第１タッチ電極は、複数の第１列の第２タッチ電極と交差して複数の第１交点を形成する（行方向が第１列方向と交差する）。複数の行の第１タッチ電極は、複数の第２列の第３電極と交差して複数の第２交点を形成する（行方向が第２列方向と交差する）。２つの隣接する行から選択される２つの第１タッチ電極及び２つの隣接する第１列から選択される２つの第２タッチ電極は、第３電極を取り囲んでもよい。
【００４４】
いくつかの実施形態において、タッチ基板は、複数の行の第１ブリッジを有する第１ブリッジ層と、複数の第１列の第２ブリッジを有する第２ブリッジ層と、複数の第２列の第３ブリッジを有する第３ブリッジ層と、をさらに含む。行方向に沿って配置される２つの隣接する第１タッチ電極は、各第１交点で第１ブリッジを介して電気的に接続される。第１列方向に沿って配置される２つの隣接する第２タッチ電極は、各第１交点で第２ブリッジを介して電気的に接続される。第２列方向に沿って配置される２つの隣接する第３電極は、各第２交点で第３ブリッジを介して電気的に接続される。
【００４５】
いくつかの実施形態において、タッチ基板は、複数の行の第４ブリッジを有する第４ブリッジ層をさらに含む。第１タッチ電極は、各々第１タッチ電極ブロック及び第２タッチ電極ブロックを含む。行方向に沿って隣接する第１タッチ電極ブロックと第２タッチ電極ブロックとは、各第１交点で第１ブリッジを介して電気的に接続される。行方向に沿って隣接する第１タッチ電極ブロックと第２タッチ電極ブロックとは、各第２交点で第４ブリッジを介して電気的に接続される。
【００４６】
タッチ基板は、第１タッチ電極の各々が第１タッチ電極ブロック及び第２タッチ電極ブロックを含む、複数の行の第１タッチ電極を有する第１タッチ電極グループと、複数の第１列の第２タッチ電極を有する第２タッチ電極グループと、複数の第２列の第３電極を有する第３電極グループと、複数の行の第１ブリッジを有する第１ブリッジ層と、複数の第１列の第２ブリッジを有する第２ブリッジ層と、複数の第２列の第３ブリッジを有する第３ブリッジ層と、複数の行の第４ブリッジを有する第４ブリッジ層と、を含んでもよい。各行における第１タッチ電極は、行方向に沿って互いに間隔を置いて配置される。各第１列における第２タッチ電極は、第１列方向に沿って互いに間隔を置いて配置される。第２列における第３電極は、第２列方向に沿って互いに間隔を置いて配置される。複数の行の第１タッチ電極は、複数の第１列の第２タッチ電極と交差して複数の第１交点を形成する（行方向が第１列方向と交差する）。複数の行の第１タッチ電極は、複数の第２列の第３電極と交差して複数の第２交点を形成する（行方向が第２列方向と交差する）。行方向に沿って隣接する第１タッチ電極ブロックと第２タッチ電極ブロックとは、各第１交点で第１ブリッジを介して電気的に接続される。行方向に沿って隣接する第１タッチ電極ブロックと第２タッチ電極ブロックとは、各第２交点で第４ブリッジを介して電気的に接続される。
【００４７】
いくつかの実施形態において、第１タッチ電極グループ及び第２タッチ電極グループは異なる層内に配置される。第１ブリッジ層及び第１タッチ電極グループは同一層内に配置され、第２ブリッジ層及び第２タッチ電極グループは同一層内に配置されてもよい。第３電極グループは第１タッチ電極グループと同一層内に配置され、第４ブリッジ層と第３ブリッジ層は異なる層内に配置されてもよい。第３電極グループは第２タッチ電極グループと同一層内に配置され、第３ブリッジ層と第２ブリッジ層は同一層内に配置されてもよい。
【００４８】
いくつかの実施形態において、第１タッチ電極グループ及び第２タッチ電極グループは同一層内に配置される。第２ブリッジ層は、第１タッチ電極グループ及び第２タッチ電極グループと同一層内に配置され、第１ブリッジ層は第１タッチ電極グループ及び第２タッチ電極グループと異なる層内に配置されてもよい。第２ブリッジ層は、第１タッチ電極グループ及び第２タッチ電極グループと異なる層内に配置され、第１ブリッジ層は第１タッチ電極グループ及び第２タッチ電極グループと同一層内に配置されてもよい。
【００４９】
いくつかの実施形態において、第１タッチ電極グループ、第２タッチ電極グループ及び第３電極グループは、すべて同一層内に配置されてもよい。第２ブリッジ層及び第３ブリッジ層は、第１タッチ電極グループ、第２タッチ電極グループ及び第３電極グループと同一層内に配置されてもよい。第１ブリッジ層及び第４ブリッジ層は、第１タッチ電極グループ、第２タッチ電極グループ及び第３電極グループと同一層内に配置されてもよい。第２ブリッジ層及び第３ブリッジ層は同一の第１層内に配置され、第１ブリッジ層及び第４ブリッジ層は同一の第２層内に配置され、同一の第１層は同一の第２層と異なってもよい。
【００５０】
いくつかの実施形態において、タッチ基板は、第１ブリッジ層と第２ブリッジ層との間に第１絶縁層をさらに含む。第１絶縁層は、各々が第１交点で第１ブリッジを第２ブリッジから絶縁する複数の第１絶縁ブロックを含む。
【００５１】
いくつかの実施形態において、タッチ基板は、第４ブリッジ層と第３ブリッジ層との間に第２絶縁層をさらに含む。第２絶縁層は、各々が第２交点で第４ブリッジを第３ブリッジから絶縁する複数の第２絶縁ブロックを含む。
【００５２】
任意の適切な透明電極材料を用いて第１タッチ電極グループ、第２タッチ電極グループ、第３電極グループ、第１ブリッジ層、第２ブリッジ層、第３ブリッジ層及び第４ブリッジ層を作製できる。適切な透明電極材料の例には、透明な金属（例えば、ナノ銀）、酸化インジウムスズ、酸化インジウム亜鉛及びそれらの組合せが含まれるが、これらに限らない。
【００５３】
いくつかの実施形態において、第１列方向に沿って配置される２つの隣接する第２タッチ電極は、各第１交点で第２ブリッジを介して電気的に接続される。いくつかの実施形態において、第２列方向に沿って配置される２つの隣接する第３電極は、各第２交点で第３ブリッジを介して電気的に接続される。
【００５４】
いくつかの実施形態において、第１タッチ電極は、各々第１タッチ電極ブロック及び第２タッチ電極ブロックを含む。行方向に沿って隣接する第１タッチ電極ブロックと第２タッチ電極ブロックとは、各第１交点で第１ブリッジを介して電気的に接続される。行方向に沿って隣接する第１タッチ電極ブロックと第２タッチ電極ブロックとは、各第２交点で第４ブリッジを介して電気的に接続される。
【００５５】
いくつかの実施形態において、行方向に沿って隣接する第１タッチ電極ブロックと第２タッチ電極ブロックを、各第２交点で互いに間隔を置いて配置して、隣接する第１タッチ電極ブロックと第２タッチ電極ブロックとの間に通路を形成することで、第３ブリッジが通路内を延在し、隣接する第１タッチ電極ブロックと第２タッチ電極ブロックから絶縁されるようにする。間隔を置いて配置され、行方向に沿って隣接する第１タッチ電極ブロックと第２タッチ電極ブロックとは、ひとつ以上の第４ブリッジを介して電気的に接続される。
【００５６】
タッチ電極及び第３電極は任意の適切な形状を有することができる。同様に、第１タッチ電極ブロック及び第２タッチ電極ブロックも任意の適切な形状を有することができる。適切な形状の例には、菱形、正方形、長方形、三角形及び平行四辺形が含まれるが、これらに限らない。第１タッチ電極ブロック及び第２タッチ電極ブロックは三角形を有し、第１タッチ電極は菱形を有してもよい。
【００５７】
いくつかの実施形態において、２つの隣接する行から選択される２つの第１タッチ電極及び２つの隣接する第１列から選択される２つの第２タッチ電極は、第３電極を取り囲む。例えば、第３電極は、２つの隣接する第１列から選択される２つの第２タッチ電極、２つの隣接する行から選択される２つの第１タッチ電極ブロック、及び２つの隣接する行から選択される２つの第２タッチ電極ブロックにより取り囲まれる。
【００５８】
それ故、いくつかの実施形態において、第３電極は、第３電極を取り囲む２つの隣接する行から選択される２つの第１タッチ電極の対応部分の境界を実質的に補完する境界を有する。いくつかの実施形態において、第３電極は、第３電極を取り囲む２つの隣接する第１列から選択される２つの第２タッチ電極の対応部分の境界を実質的に補完する境界を有する。第３電極は、第３電極を取り囲む２つの隣接する行から選択される２つの第１タッチ電極及び２つの隣接する第１列から選択される２つの隣接する第２タッチ電極の対応部分の境界を実質的に補完する境界を有してもよい。
【００５９】
本明細書にわたって記載されるタッチ基板を有するタッチパネルは、圧力が加わったことに起因する一対の圧力感知電極の間の距離変化により加わる圧力を検出するための圧力感知電極として第３電極グループと一対にされる、第４電極グループをさらに含む。例えば、タッチパネルは第３電極グループと第４電極グループとの間に弾性層をさらに含んでもよい。弾性層は、タッチにより加わる圧力に応じて変形する。例えば、弾性層はタッチにより加わる圧力に応じて圧縮し、その結果、第３電極グループと第４電極グループとの間の距離が縮小する。距離が縮小すると、第３電極グループと第４電極グループとの間に容量変化も生じる。容量変化を検出することで、加えられた圧力を検出することができる。さらに、容量変化を生じる第３電極及び対応する第４電極の位置を確定することで、タッチ位置を確定することができる。
【００６０】
いくつかの実施形態において、第４電極グループは、各々が各第３電極に対応する複数の第４電極を含む。各第４電極及び各第３電極は、一対の第４電極及び第３電極に近い位置に配置されるタッチパネルに圧力が加わると、十分な容量変化がその間に誘導されるように構成される。例えば、各第４電極及び各第３電極は、タッチ基板を平面視した際、各第４電極の投影が各第３電極の投影と少なくとも部分的に重なるように構成されてもよい。各第４電極は、各第３電極より面積が大きく、即ち、タッチ基板を平面視した際の第３電極の投影が、タッチ基板を平面視した際の第４電極の投影の内側に収まってもよい。各第３電極は、各第４電極より面積が大きく、即ち、タッチ基板を平面視した際の第４電極の投影が、タッチ基板を平面視した際の第３電極の投影の内側に収まってもよい。
【００６１】
いくつかの実施形態において、第４電極グループは複数の列の第４電極含む。各列は第２列に対応してもよい。いくつかの実施形態において、第４電極グループは複数の行の第４電極を含む。各行は第１タッチ電極の行に対応してもよい。
【００６２】
任意の適切な透明電極材料を用いて第４電極グループを作製できる。適切な透明電極材料の例には、透明な金属（例えば、ナノ銀）、酸化インジウムスズ、酸化インジウム亜鉛及びそれらの組合せが含まれるが、これらに限らない。
【００６３】
いくつかの実施形態において、第４電極グループは、第３電極グループと同一のタッチ基板内に配置される。第３電極グループ及び第４電極グループの両方がアレイ基板内に配置されてもよい。第３電極グループ及び第４電極グループの両方がアレイ基板に対向するパッケージ基板内に配置されてもよい。
【００６４】
いくつかの実施形態において、弾性層は、第３電極グループと同一の基板内に配置される。いくつかの実施形態において、弾性層は、第４電極グループと同一の基板内に配置される。弾性層及び３電極グループの両方がアレイ基板内に配置されてもよい。弾性層及び第４電極グループの両方がアレイ基板に対向するパッケージ基板内に配置されてもよい。
【００６５】
いくつかの実施形態において、弾性層は、第３電極グループ及び第４電極グループと同一のタッチ基板内に配置される。第３電極グループ、第４電極グループ及び弾性層は、すべてアレイ基板内に配置されてもよい。第３電極グループ、第４電極グループ及び弾性層は、すべてアレイ基板に対向するパッケージ基板内に配置されてもよい。
【００６６】
いくつかの実施形態において、第３電極グループはタッチ基板内に配置され、第４電極グループは追加タッチ基板内に配置される。タッチ基板はアレイ基板であり、追加タッチ基板はアレイ基板に対向するパッケージ基板であり、即ち、第３電極グループはアレイ基板内に配置され、第４電極グループはパッケージ基板内に配置されてもよい。追加タッチ基板はアレイ基板であり、タッチ基板はアレイ基板に対向するパッケージ基板であり、即ち、第３電極グループはパッケージ基板内に配置され、第４電極グループはアレイ基板内に配置されてもよい。弾性層は間隙、即ち、気層であり、例えば、タッチ基板及び追加タッチ基板は、表示パネルの周辺部においてボンディング層によりフレームシーリングされてもよい。弾性層は、タッチ基板内に配置されてもよい。弾性層は、追加タッチ基板内に配置されてもよい。いくつかのタッチパネルにおいて、弾性層は光学透明樹脂層、例えば、タッチ基板及び追加タッチ基板をボンディングするための光学透明樹脂層である。
【００６７】
タッチパネルはインセル型タッチパネルであってもよい。タッチパネルはオンセル型タッチパネルであってもよい。タッチパネルはアドオン型タッチパネルであってもよい。アドオン型タッチパネルはガラス面上に内蔵されたタッチ電極を有してもよい。アドオン型タッチパネルは薄膜上に内蔵されたタッチ電極を有してもよい。アドオン型タッチパネルは、ＯＧＳ（ｏｎｅ−ｇｌａｓｓ−ｓｏｌｕｔｉｏｎ）タッチパネルであってもよい。ＯＧＳタッチパネルにおいて、タッチ電極はカバーガラス上に統合される。アドオン型タッチパネルは、ガラス・フィルム・フィルム型タッチパネルであってもよい。
【００６８】
いくつかの実施形態において、タッチパネルはオンセル型タッチパネルである。タッチ基板はアレイ基板であり、追加タッチ基板はパッケージ基板であってもよい。弾性層はタッチ基板と追加タッチ基板とをボンディングするための光学透明樹脂層であってもよい。
【００６９】
いくつかの実施形態において、タッチパネルはインセル型タッチパネルである。タッチ基板はアレイ基板であり、追加タッチ基板はパッケージ基板であってもよい。弾性層は光学透明樹脂層、例えば、タッチ基板と追加タッチ基板とをボンディングするための光学透明樹脂層であってもよい。
【００７０】
いくつかの実施形態において、タッチパネルはアドオン型タッチパネル（例えば、ＯＧＳタッチパネル又はガラス・フィルム・フィルム型タッチパネル）である。タッチ基板はパッケージ基板であり、追加タッチ基板はアレイ基板であってもよい。弾性層は光学透明樹脂層、例えば、タッチ基板と追加タッチ基板とをボンディングするための光学透明樹脂層であってもよい。
【００７１】
別の方面において、本開示はタッチ基板又はタッチパネルの製造方法を提供する。いくつかの実施形態において、この方法は、複数の行の第１タッチ電極を有する第１タッチ電極グループを形成する工程と、複数の第１列の第２タッチ電極を有する第２タッチ電極グループを形成する工程と、複数の第２列の第３電極を有する第３電極グループを形成する工程と、を含む。各行における第１タッチ電極は、行方向に沿って互いに間隔を置いて形成される。各第１列における第２タッチ電極は、第１列方向に沿って互いに間隔を置いて形成される。第２列における第３電極は、第２列方向に沿って互いに間隔を置いて形成される。複数の行の第１タッチ電極は、複数の第１列の第２タッチ電極と交差して複数の第１交点を形成する。複数の行の第１タッチ電極は、複数の第２列の第３電極と交差して複数の第２交点を形成する。具体的には、２つの隣接する行から選択される２つの第１タッチ電極及び２つの隣接する第１列から選択される２つの第２タッチ電極は、第３電極を取り囲むように形成される。
【００７２】
いくつかの実施形態において、第１タッチ電極グループ、第２タッチ電極グループ及び第３電極グループは、同一層内に形成される。第１タッチ電極グループ、第２タッチ電極グループ及び第３電極グループは、２つ以上の層に形成されてもよい。例えば、第３電極グループは第１層内に形成され、第１タッチ電極グループ及び第２タッチ電極グループは第２層内に形成され、第１層は第２層と異なってもよい。第１タッチ電極グループ、第２タッチ電極グループ及び第３電極グループは、３つの異なる層内に形成されてもよい。
【００７３】
いくつかの実施形態において、この方法は、複数の第４電極を有する第４電極グループを形成する工程をさらに含む。各第４電極は各第３電極に対応してもよい。タッチパネルを平面視した際、各第４電極の投影は、各第３電極の投影と少なくとも部分的に重なってもよい。第３電極グループ及び第４電極グループは、同一のタッチ基板内、例えば、アレイ基板内又はパッケージ基板内に形成されてもよい。第３電極グループ及び第４電極グループは、タッチ基板及びタッチ基板に対向する追加タッチ基板から選択される２つの異なる基板内にそれぞれに形成されてもよい。例えば、第３電極グループ及び第４電極グループの両方がアレイ基板内に形成されてもよい。第３電極グループ及び第４電極グループの両方がパッケージ基板内に形成されてもよい。
【００７４】
いくつかの実施形態において、第４電極グループは、第３電極グループと同一のタッチ基板内に形成される。第３電極グループ及び第４電極グループの両方がアレイ基板内に形成されてもよい。第３電極グループ及び第４電極グループの両方がアレイ基板に対向するパッケージ基板内に形成されてもよい。
【００７５】
いくつかの実施形態において、この方法は、第３電極グループと第４電極グループとの間に、タッチにより加わる圧力に応じて変形するように構成される弾性層を形成する工程をさらに含む。いくつかの実施形態において、弾性層は、第３電極グループと同一の基板内に形成される。いくつかの実施形態において、弾性層は、第４電極グループと同一の基板内に形成される。弾性層及び第３電極グループの両方がアレイ基板内に形成されてもよい。弾性層及び第４電極グループの両方がアレイ基板に対向するパッケージ基板内に形成されてもよい。
【００７６】
いくつかの実施形態において、弾性層は、第３電極グループ及び第４電極グループと同一のタッチ基板内に形成される。第３電極グループ、第４電極グループ及び弾性層は、すべてアレイ基板内に形成されてもよい。第３電極グループ、第４電極グループ及び弾性層は、すべてアレイ基板に対向するパッケージ基板内に形成されてもよい。
【００７７】
いくつかの実施形態において、第３電極グループはタッチ基板内に形成され、第４電極グループは追加タッチ基板内に配置される。タッチ基板はアレイ基板であり、追加タッチ基板はアレイ基板に対向するパッケージ基板であり、即ち、第３電極グループはアレイ基板内に形成され、第４電極グループはパッケージ基板内に形成されてもよい。追加タッチ基板はアレイ基板であり、タッチ基板はアレイ基板に対向するパッケージ基板であり、即ち、第３電極グループはパッケージ基板内に形成され、第４電極グループはアレイ基板内に形成されてもよい。弾性層は、タッチ基板内に形成されてもよい。弾性層は、追加タッチ基板内に形成されてもよい。いくつかのタッチパネルにおいて、弾性層は光学透明樹脂層、例えば、タッチ基板と追加タッチ基板とをボンディングするための光学透明樹脂層である。弾性層は間隙、即ち、気層であってもよい。この方法は、表示パネルの周辺部にボンディング層を形成する工程と、ボンディング層を用いてタッチ基板と追加タッチ基板とをフレームシーリングする工程と、を含んでもよい。
【００７８】
いくつかの実施形態において、この方法は、複数の行の第１ブリッジを含む第１ブリッジ層を形成する工程と、複数の第１列の第２ブリッジを含む第２ブリッジ層を形成する工程と、複数の第２列の第３ブリッジを含む第３ブリッジ層を形成する工程と、をさらに含む。この方法は、行方向に沿って配置される２つの隣接する第１タッチ電極を各第１交点で第１ブリッジを用いて電気的に接続する工程をさらに含んでもよい。この方法は、第１列方向に沿って配置される２つの隣接する第２タッチ電極を各第１交点で第２ブリッジを用いて電気的に接続する工程をさらに含んでもよい。この方法は、第２列方向に沿って配置される２つの隣接する第３電極を各第２交点で第３ブリッジを用いて電気的に接続する工程をさらに含んでもよい。
【００７９】
いくつかの実施形態において、この方法は、複数の行の第４ブリッジを有する第４ブリッジ層を形成する工程をさらに含む。第１タッチ電極グループを形成する工程は、複数の第１タッチ電極ブロック及び複数の第２タッチ電極ブロックを形成する工程を含んでもよい。第１タッチ電極は、各々第１タッチ電極ブロック及び第２タッチ電極ブロックを含むように形成される。この方法は、行方向に沿って隣接する第１タッチ電極ブロックと第２タッチ電極ブロックとを各第１交点で第１ブリッジを用いて電気的に接続する工程をさらに含んでもよい。この方法は、行方向に沿って隣接する第１タッチ電極ブロックと第２タッチ電極ブロックとを各第２交点で第４ブリッジを用いて電気的に接続する工程をさらに含んでもよい。
【００８０】
いくつかの実施形態において、第２列方向に沿って配置される２つの隣接する第３電極を電気的に接続する第３ブリッジは、第２交点で第４ブリッジを介して電気的に接続される隣接する第１タッチ電極ブロック及び第２タッチ電極ブロックと間隔を置いて配置され、絶縁されるように形成される。いくつかの実施形態においては、行方向に沿って隣接する第１タッチ電極ブロックと第２タッチ電極ブロックを、各第２交点で互いに間隔を置いて配置して、隣接する第１タッチ電極ブロックと第２タッチ電極ブロックとの間に通路を形成することで、第３ブリッジが通路内を延在し、隣接する第１タッチ電極ブロックと第２タッチ電極ブロックから絶縁されるようにする。間隔を置いて配置され、行方向に沿って隣接する第１タッチ電極ブロックと第２タッチ電極ブロックとは、ひとつ以上の第４ブリッジを介して電気的に接続される。
【００８１】
いくつかの実施形態において、第３電極は、第３電極を取り囲む２つの隣接する行から選択される２つの第１タッチ電極及び２つの隣接する第１列から選択される２つの第２タッチ電極のうちの少なくともひとつの対応部分の境界を実質的に補完する境界を有するように形成される。第３電極は、第３電極を取り囲む２つの隣接する行から選択される２つの第１タッチ電極の対応部分の境界を実質的に補完する境界を有するように形成されてもよい。第３電極は、第３電極を取り囲む２つの隣接する第１列から選択される２つの第２タッチ電極の対応部分の境界を実質的に補完する境界を有するように形成されてもよい。第３電極は、第３電極を取り囲む２つの隣接する行から選択される２つの第１タッチ電極及び２つの隣接する第１列から選択される２つの隣接する第２タッチ電極の対応部分の境界を実質的に補完する境界を有するように形成されてもよい。
【００８２】
図１Ａは、いくつかの実施形態におけるタッチ基板の構造を示す模式図である。図１Ａを参照すると、この実施形態におけるタッチ基板は、第１タッチ電極グループＡと、第２タッチ電極グループＢと、第３電極グループＣと、を含む。図１Ａに示すように、第１タッチ電極グループＡは複数の行の第１タッチ電極１を含み、第２タッチ電極グループＢは複数の第１列の第２タッチ電極２を含み、第３電極グループＣは複数の第２列の第３電極３を含む。第１タッチ電極１は、各々第１タッチ電極ブロック１ａ及び第２タッチ電極ブロック１ｂを含む。例えば、第１タッチ電極グループＡは、行方向に沿って交互に設けられる複数の第１タッチ電極ブロック１ａ及び複数の第２タッチ電極ブロック１ｂを含む。
【００８３】
第１列と第２列はオプションで互いに対して略平行であってもよい。隣接する第１列の第２タッチ電極２と隣接する第２列の第３電極３とは、例えば、第１タッチ電極ブロック１ａ又は第２タッチ電極ブロック１ｂにより互いに間隔を置いて配置される。
【００８４】
第３電極３の数と第１タッチ電極１又は第２タッチ電極２の数との間において、様々な割合を用いることができる。第３電極３の数は、第１タッチ電極１の数とほぼ同じであってもよい。第３電極３の数は、第２タッチ電極２の数とほぼ同じであってもよい。第３電極３の数は、第２タッチ電極２の約半数であってもよい。例えば、第２列の数は第１列の約半数であってもよい。或いは、各第２列における第３電極３の数は、各第１列における第２タッチ電極２の約半数であってもよい。設計ニーズに応じて、タッチ基板の特定領域における第３電極の数は、指又は手のひらでタッチして加えられた圧力を検出するに十分な圧力センサの密度を提供するように選択することができる。第１タッチ電極１の数、第２タッチ電極２の数及び第３電極３の数の間の割合は、１：１：１から１０：１０：１の範囲にあり、例えば、１：１：１、２：２：１、３：３：１、４：４：１、６：６：１等であってもよい。
【００８５】
いくつかの実施形態において、第３電極グループは加わえられた圧力を検出するための複数の第３電極を含む単一の電極層であり、即ち、単一の電極層それ自体が加えられた圧力を検出するのに十分なものである。例えば、第３電極はタッチにより加わる圧力に応じて復元可能に変形する電極であってもよい。同一層内における隣接する第３電極ブロックの間のキャパシタンスはフリンジ効果により生成される。タッチが生じると、タッチにより加わった圧力に応じて一つ以上の第３電極が変形する。第３電極グループは、タッチパネルの表面が加圧されると、変形した第３電極と隣接する第３電極ブロックとの間のキャパシタンスが減少するように構成される。第３電極グループは弾性層上に配置されてもよい。第３電極それ自体に弾性があってもよい。単一の電極層は、透明又は非透明電極材料を含む任意の適切な電極材料により作製できる。第３電極グループは透明材料により作製されてもよい。第３電極グループを作製する適切な電極材料の例には、ナノ銀、グラフェンが含まれるが、これらに限らない。様々な代替実施形態を実施して単一層の圧力感知電極を作製することができる。
【００８６】
図１Ｂは、図１Ａの点線で囲まれた部分の拡大図である。図１Ｂを参照すると、タッチ基板は、複数の行の第１ブリッジＢ１を有する第１ブリッジ層と、複数の第１列の第２ブリッジＢ２を有する第２ブリッジ層と、複数の第２列の第３ブリッジＢ３を有する第３ブリッジ層と、複数の行の第４ブリッジＢ４を有する第４ブリッジ層と、をさらに含む。第１ブリッジＢ１と第２ブリッジＢ２は互いに交差して第１交点ＩＳ１を形成する。第４ブリッジＢ４と第３ブリッジＢ３は互いに交差して第２交点ＩＳ２を形成する。
【００８７】
図１Ｂを参照すると、この実施形態におけるタッチ基板は、複数の第１絶縁ブロックＩＮ１を有する第１絶縁層及び複数の第２絶縁ブロックＩＮ２を有する第２絶縁層をさらに含む。第１ブリッジＢ１と第２ブリッジＢ２は、第１絶縁ブロックＩＮ１により絶縁される。第４ブリッジＢ４と第３ブリッジＢ３は、第２絶縁ブロックＩＮ２により絶縁される。第１絶縁層と第２絶縁層は、同一層内に配置されてもよい。
【００８８】
図１Ａと図１Ｂを参照すると、各行における第１タッチ電極１は行方向に沿って互いに間隔を置いて配置され、複数の第１ブリッジＢ１及び複数の第４ブリッジＢ４を介して互いに電気的に接続される。具体的には、行方向に沿って配置される第１タッチ電極ブロック１ａと第２タッチ電極ブロック１ｂは交互に互いに間隔を置いて配置され、行方向に沿って配置される一対の隣接する第１タッチ電極ブロック１ａと第２タッチ電極ブロック１ｂとは第１交点ＩＳ１で第１ブリッジＢ１を介して電気的に接続され、行方向に沿って配置される一対の隣接する第１タッチ電極ブロック１ａと第２タッチ電極ブロック１ｂとは第２交点ＩＳ２で第４ブリッジＢ４を介して電気的に接続される。
【００８９】
複数の第１交点ＩＳ１と複数の第２交点ＩＳ２は、同一の行方向に沿って（例えば、同一の線に沿って）設けられてもよい。例えば、複数の第１ブリッジＢ１と複数の第４ブリッジＢ４は、行方向に沿って単一線を形成するように設けられてもよい。複数の第１交点ＩＳ１と複数の第２交点ＩＳ２は、それぞれ２つの行方向に沿って、例えば、第１行方向及び第２行方向に沿って設けられてもよい。例えば、複数の第１ブリッジＢ１と複数の第４ブリッジＢ４は、それぞれ第１行方向及び第２行方向に沿って２つの個別の線を形成するように設けられてもよい。
【００９０】
図１Ａと図１Ｂに示すように、各第１列内の第２タッチ電極２は第１列方向に沿って互いに間隔を置いて配置され、各第１交点ＩＳ１で第２ブリッジＢ２を介して電気的に接続される。各行の第１タッチ電極１は各第１列の第２タッチ電極２と交差して第１交点ＩＳ１を形成し、例えば、各第１ブリッジＢ１は各第２ブリッジＢ２と交差して第１交点ＩＳ１を形成する。同様に、各第２列における第３電極３は第２列方向に沿って互いに間隔を置いて配置され、各第２交点ＩＳ２で第３ブリッジＢ３を介して電気的に接続される。各行の第１タッチ電極１は各第２列の第３電極３と交差して第２交点ＩＳ２を形成し、例えば、各第４ブリッジＢ４は各第３ブリッジＢ３と交差して第２交点ＩＳ２を形成する。
【００９１】
いくつかの実施形態において、２つの隣接する行から選択される（各々が第１タッチ電極ブロック１ａと第２タッチ電極ブロック１ｂを含む）２つの第１タッチ電極１、及び２つの隣接する第１列から選択される２つの第２タッチ電極２は、第３電極３を取り囲む。第３電極３の形状は、周囲の電極の形状を実質的に補完するものであってもよい。例えば、第３電極３は、第３電極３を取り囲む２つの隣接する行から選択される２つの第１タッチ電極１の対応部分の境界を実質的に補完する境界を有してもよい（例えば、図１Ａを参照）。第３電極３は、第３電極３を取り囲む２つの隣接する第１列から選択される２つの第２タッチ電極２の対応部分の境界を実質的に補完する境界を有してもよい。第３電極３は、第３電極３を取り囲む２つの隣接する行から選択される２つの第１タッチ電極１と２つの隣接する第１列から選択される２つの第２タッチ電極２の対応部分の境界を実質的に補完する境界を有してもよい。
【００９２】
第３ブリッジＢ３は様々な適切な形状を有してもよい。例えば、第３ブリッジＢ３は図１Ｂに示す棒状を有してもよい。第３ブリッジＢ３は、第２列方向に沿って配置される２つの隣接する第３電極３を電気的に接続し、第２交点ＩＳ２で第４ブリッジＢ４を介して接続される一対の隣接する第１タッチ電極ブロック１ａ及び第２タッチ電極ブロック１ｂと間隔を置いて配置され、絶縁される。従って、一対の隣接する第１タッチ電極ブロック１ａ及び第２タッチ電極ブロック１ｂを、互いに間隔を置いて配置して、隣接する第１タッチ電極ブロック１ａと第２タッチ電極ブロック１ｂとの間に通路を形成することで、第３ブリッジＢ３が通路内を延在できるようにする。第３ブリッジＢ３は、隣接する第１タッチ電極ブロック１ａと第２タッチ電極ブロック１ｂから絶縁される。隣接する第１タッチ電極ブロック１ａと第２タッチ電極ブロック１ｂとは、第４ブリッジＢ４を介して接続されてもよい。第３ブリッジＢ３は、隣接する第１タッチ電極ブロック１ａ及び第２タッチ電極ブロック１ｂと同一層内に配置され、第４ブリッジＢ４は別の層内に配置されてもよい。第４ブリッジＢ４は、隣接する第１タッチ電極ブロック１ａ及び第２タッチ電極ブロック１ｂと同一層内に配置され、第３ブリッジＢ３は別の層内に配置されてもよい。
【００９３】
図２Ａは、いくつかの実施形態における表示パネルの構造を示す模式図である。図２Ａを参照すると、この実施形態における表示パネルは、第４電極グループＤと、第４電極グループＤ上に設けられる弾性層ＥＬと、弾性層ＥＬの第４電極グループＤから離れた側に設けられる第３電極グループＣと、を含み、即ち、弾性層ＥＬは第４電極グループＤと第３電極グループＣとの間に配置される。図２Ａに示すように、第１タッチ電極グループＡ及び第２タッチ電極グループＢも弾性層ＥＬの第４電極グループＤから離れた側に配置されてもよい。第１タッチ電極グループＡ、第２タッチ電極グループＢ及び第３電極グループＣは、すべて同一層内に配置されてもよい。第１タッチ電極グループＡ、第２タッチ電極グループＢ及び第３電極グループＣのうちの少なくともひとつが、他の２つと異なる層内に配置されてもよい。第１タッチ電極グループＡ、第２タッチ電極グループＢ及び第３電極グループＣは、３つの異なる層内に配置されてもよい。
【００９４】
弾性層は、タッチにより加わる圧力に応じて一時的に変形し、圧力が中断されるとその厚さを回復できる任意の適切な弾性材料により作製することができる。適切な弾性材料の例には、光学透明樹脂、光学透明接着剤及び光学透明ゴムが含まれるが、これらに限らない。
【００９５】
図２Ｂは、いくつかの実施形態における圧力感知電極の構造を示す模式図である。図２Ｂを参照すると、表示パネルを平面視した際の、第３電極グループＣ及び第４電極グループＤを示したものである。図２Ｂに示すように、第４電極４は第３電極３と、例えば、一対一で対応する。一対の第４電極４と第３電極３は、圧力が加わったことに起因する一対の圧力感知電極の間の距離変化により加わる圧力を検出するための一対の圧力感知電極である。一対の圧力感知電極の間の距離変化により、第３電極グループＣと第４電極グループＤとの間に容量変化が誘発される。
【００９６】
対の圧力感知電極の間の容量変化を高感度に検出するため、オプションで、表示パネルを平面視した際、一対の圧力感知電極の投影は、少なくとも部分的に互いに重なる。タッチパネルは、タッチ電極グループＡ、Ｂ及び圧力感知電極グループＣ、Ｄに電気的に接続されるタッチ制御回路基板をさらに含む。タッチ制御回路基板は、タッチ電極グループＡ、Ｂからのタッチ信号、及び圧力感知電極グループＣ、Ｄからの圧力信号を検出する。タッチ位置は、タッチ電極グループＡ、Ｂからのタッチ信号を基に確定し、タッチにより加えられた圧力は、圧力感知電極グループＣ、Ｄからの圧力信号を基に確定してもよい。タッチ位置は、さらに圧力感知電極グループＣ、Ｄからの信号を基に確定してもよい。
【００９７】
図２Ｂに示すように、第４電極グループＤは、複数の行の第４電極４を含む。複数の行の第４電極４の投影及び複数の第２列の第３電極３の投影は、複数の第３交点ＩＳ３を形成する。或いは、図２Ｃに示すように、第４電極グループＤは、複数の列の第４電極４を含んでもよい。図２Ｂにおける第４電極４は第３電極３より面積が大きい。第３電極３は第４電極４より面積が大きくてもよい。第３電極３と第４電極４は面積が同じでもよい。第４電極グループＤは、各行又は各列における第４電極４を接続する複数の第５ブリッジをさらに含む。
【００９８】
いくつかの実施形態において、タッチパネルはタッチ基板及び追加タッチ基板を含む。第３電極グループＣ、第４電極グループＤ及び弾性層は、タッチ基板内に配置されてもよい。第３電極グループＣはタッチ基板内に配置され、第４電極グループＤは追加タッチ基板内に配置されてもよい。第４電極グループＤはタッチ基板内に配置され、第３電極グループＣは追加タッチ基板内に形成されてもよい。弾性層は、第３電極グループＣと同一層内に設けられてもよい。弾性層は、第４電極グループＤと同一層内に設けられてもよい。
【００９９】
図２Ｄは、いくつかの実施形態における表示パネルの構造を示す模式図である。図２Ｄを参照すると、この実施形態における表示パネルは、第４電極グループＤと、第４電極グループＤ上に設けられるボンディング層ＢＬと、ボンディング層ＢＬの第４電極グループＤから離れた側に設けられる第３電極グループＣと、を含み、即ち、ボンディング層ＢＬは第４電極グループＤと第３電極グループＣとの間に配置される。図２Ｄに示すように、第１タッチ電極グループＡ及び第２タッチ電極グループＢもボンディング層ＢＬの第４電極グループＤから離れた側に配置されてもよい。第１タッチ電極グループＡ、第２タッチ電極グループＢ及び第３電極グループＣは、すべて同一層内に配置されてもよい。第１タッチ電極グループＡ、第２タッチ電極グループＢ及び第３電極グループＣのうちの少なくともひとつが、他の２つと異なる層内に配置されてもよい。第１タッチ電極グループＡ、第２タッチ電極グループＢ及び第３電極グループＣは、３つの異なる層内に配置されてもよい。
【０１００】
図３Ａは、いくつかの実施形態におけるタッチパネルの構造を示す模式図である。図３Ａを参照すると、この実施形態におけるタッチパネルは、ＯＧＳ液晶タッチパネルである。この実施形態におけるタッチパネルは、液晶モジュールＬＣＭと、液晶モジュールＬＣＭ上に設けられる第４電極グループＤと、第４電極グループＤの液晶モジュールＬＣＭから離れた側に設けられる偏光子層Ｐｏｌと、偏光子層Ｐｏｌの第４電極グループＤから離れた側に設けられる弾性層ＥＬと、さらには、弾性層ＥＬの偏光子層Ｐｏｌから離れた側に設けられる第１タッチ電極グループＡ、第２タッチ電極グループＢ及び第３電極グループＣと、を含む。タッチパネルは、第１タッチ電極グループＡ、第２タッチ電極グループＢ及び第３電極グループＣの弾性層ＥＬから離れた側にカバーガラスをさらに含んでもよい。弾性層ＥＬはタッチパネルをボンディングするための光学透明樹脂層であってもよい。
【０１０１】
図３Ｂは、いくつかの実施形態におけるタッチパネルの構造を示す模式図である。図３Ｂを参照すると、この実施形態におけるタッチパネルは、オンセル型液晶タッチパネルである。この実施形態におけるタッチパネルは、液晶モジュールＬＣＭと、液晶モジュールＬＣＭ上に設けられる第１タッチ電極グループＡ、第２タッチ電極グループＢ及び第３電極グループＣと、第１タッチ電極グループＡ、第２タッチ電極グループＢ及び第３電極グループＣの液晶モジュールＬＣＭから離れた側に設けられる偏光子層Ｐｏｌと、偏光子層Ｐｏｌの第１タッチ電極グループＡ、第２タッチ電極グループＢ及び第３電極グループＣから離れた側に設けられる弾性層ＥＬと、さらには、弾性層ＥＬの偏光子層Ｐｏｌから離れた側に設けられる第４電極グループＤと、を含む。タッチパネルは、第４電極グループＤの弾性層ＥＬから離れた側にカバーガラスをさらに含んでもよい。弾性層ＥＬはタッチパネルをボンディングするための光学透明樹脂層であってもよい。
【０１０２】
図３Ｃは、いくつかの実施形態におけるタッチパネルの構造を示す模式図である。図３Ｃを参照すると、この実施形態におけるタッチパネルは、ＯＧＳ液晶タッチパネルである。この実施形態におけるタッチパネルは、液晶モジユールＬＣＭと、液晶モジユールＬＣＭ上に設けられる第４電極グループＤと、第４電極グループＤの液晶モジユールＬＣＭから離れた側に設けられる偏光子層Ｐｏｌと、偏光子層Ｐｏｌの第４電極グループＤから離れた側に設けられるボンディング層ＢＬと、さらには、ボンディング層ＢＬの偏光子層Ｐｏｌから離れた側に設けられる第１タッチ電極グループＡ、第２タッチ電極グループＢ及び第３電極グループＣと、を含む。タッチパネルは、第１タッチ電極グループＡ、第２タッチ電極グループＢ及び第３電極グループＣのボンディング層ＢＬから離れた側にカバーガラスをさらに含んでもよい。ボンディング層ＢＬは、タッチパネルをシーリングするための接着層であってもよい。
【０１０３】
別の方面において、本開示はタッチ基板の製造方法を提供する。図４は、いくつかの実施形態におけるタッチパネルの製造方法を示すフロ−チャートである。図４を参照すると、この実施形態における方法は、第１タッチ電極は各々第１タッチ電極ブロック及び第２タッチ電極ブロックを備え、各行における第１タッチ電極は行方向に沿って互いに間隔を置いて配置される、複数の行の第１タッチ電極を含む第１タッチ電極グループを形成する工程と、各第１列における第２タッチ電極は、第１列方向に沿って互いに間隔を置いて形成され、複数の行の第１タッチ電極は複数の第１列の第２タッチ電極と交差して複数の第１交点を形成する、複数の第１列の第２タッチ電極を含む第２タッチ電極グループを形成する工程と、第２列における第３電極は第２列方向に沿って互いに間隔を置いて形成され、複数の行の第１タッチ電極は複数の第２列の第３電極と交差して複数の第２交点を形成する、複数の第２列の第３電極を含む第３電極グループを形成する工程と、行方向に沿って隣接する第１タッチ電極ブロックと第２タッチ電極ブロックとは各第１交点で第１ブリッジを介して電気的に接続される、複数の行の第１ブリッジを含む第１ブリッジ層を形成する工程と、第１列方向に沿って配置される２つの隣接する第２タッチ電極は各第１交点で第２ブリッジを介して電気的に接続される、複数の第１列の第２ブリッジを含む第２ブリッジ層を形成する工程と、第２列方向に沿って配置される２つの隣接する第３電極は各第２交点で第３ブリッジを介して電気的に接続される、複数の第２列の第３ブリッジを含む第３ブリッジ層を形成する工程と、行方向に沿って隣接する第１タッチ電極ブロックと第２タッチ電極ブロックとは各第２交点で第４ブリッジを介して電気的に接続される、複数の行の第４ブリッジを含む第４ブリッジ層を形成する工程と、を含む。
【０１０４】
別の方面において、本開示は、アレイ基板及びパッケージ基板を有するＯＧＳタッチパネルの製造方法を提供する。いくつかの実施形態において、この方法は、第１タッチ電極グループ、第２タッチ電極グループ及び第３電極グループをパッケージ基板上に形成する工程を含む。第１タッチ電極グループ、第２タッチ電極グループ及び第３電極グループをパッケージ基板上に製造する工程は、パッケージ基板上に透明電極材料層を積層し、透明電極材料層上にフォトレジスト層を積層し、マスクプレートを用いてフォトレジスト層を露光する工程と、露光されたフォトレジスト層を現像して第１タッチ電極グループ、第２タッチ電極グループ及び第３電極グループに対応するパターンを取得する工程と、を含んでもよい。パターンには、第３ブリッジを通路内で延在可能にする、一対の隣接する第１タッチ電極ブロックと第２タッチ電極ブロックとの間の通路を含んでもよい。
【０１０５】
いくつかの実施形態において、第２ブリッジ層及び第３ブリッジ層は、第１タッチ電極グループ、第２タッチ電極グループ及び第３電極グループと同一層内に配置される。この方法では、第１タッチ電極グループ、第２タッチ電極グループ及び第３電極グループを形成するのと同一の工程において、第２ブリッジ層及び第３ブリッジ層を形成してもよい。
【０１０６】
この方法は、第１タッチ電極グループ、第２タッチ電極グループ及び第３電極グループ上に絶縁層を形成する工程をさらに含む。絶縁層を形成する工程は、パッケージ基板上に絶縁材料層を積層し、絶縁材料層上にフォトレジスト層を積層し、マスクプレートを用いてフォトレジスト層を露光し、露光されたフォトレジスト層を現像して絶縁層に対応するパターンを取得する工程を含んでもよい。絶縁層は、第１絶縁層及び第２絶縁層を含んでもよい。第１絶縁層は、第１ブリッジ層を第２ブリッジ層から絶縁する。第２絶縁層は、第４ブリッジ層を第３ブリッジ層から絶縁する。
【０１０７】
いくつかの実施形態において、この方法は、絶縁層の、第１タッチ電極グループ、第２タッチ電極グループ及び第３電極グループから離れた側に第１ブリッジ層及び第４ブリッジ層を形成する工程をさらに含む。第１ブリッジ層及び第４ブリッジ層を形成する工程は、パッケージ基板上に金属材料層を積層し、金属材料層上にフォトレジスト層を積層し、マスクプレートを用いてフォトレジスト層を露光し、露光されたフォトレジスト層を現像して第１ブリッジ層及び第４ブリッジ層に対応するパターンを取得する工程を含んでもよい。
【０１０８】
いくつかの実施形態において、第１タッチ電極グループ、第２タッチ電極グループ及び第３電極グループは、絶縁層のパッケージ基板に近い側に形成され、第１ブリッジ層及び第４ブリッジ層は絶縁層のパッケージ基板から離れた側に形成される。第１タッチ電極グループ、第２タッチ電極グループ及び第３電極グループは、絶縁層が形成される前に形成され、絶縁層は第１ブリッジ層及び第４ブリッジ層が形成される前に形成されてもよい。いくつかの実施形態において、第１ブリッジ層及び第４ブリッジ層は、絶縁層のパッケージ基板に近い側に形成され、第１タッチ電極グループ、第２タッチ電極グループ及び第３電極グループは、絶縁層のパッケージ基板から離れた側に形成される。第１ブリッジ層及び第４ブリッジ層は、絶縁層が形成される前に形成され、絶縁層は、第１タッチ電極グループ、第２タッチ電極グループ及び第３電極グループが形成される前に形成されてもよい。
【０１０９】
この方法は、第４電極グループをアレイ基板上に形成する工程をさらに含む。タッチパネルが液晶タッチパネルである場合、第４電極グループは偏光子層の液晶モジユールに近い側に形成されてもよい。第４電極グループは、偏光子層の液晶モジユールから離れた側に形成されてもよい。第４電極グループは、各々が各第３電極に対応する複数の第４電極を含む。タッチパネルを平面視した際、各第４電極の投影は、各第３電極の投影と少なくとも部分的に重なる。
【０１１０】
この方法は、第３電極グループと第４電極グループとの間に弾性層を形成する工程をさらに含んでもよい。弾性層は、タッチにより加わる圧力に応じて変形するように構成される。弾性層はアレイ基板とパッケージ基板とを接着するための光学透明樹脂層であってもよい。弾性層は、第４電極グループのパッケージ基板に近い側に設けられるアレイ基板内の層であってもよい。弾性層は、第３電極グループのアレイ基板に近い側に設けられるパッケージ基板内の層であってもよい。
【０１１１】
この方法は、第３電極グループと第４電極グループとの間に、第３電極グループと第４電極グループとをシーリングするためのボンディング層を形成する工程をさらに含んでもよい。ボンディング層は、第３電極グループ及び第４電極グループの周辺部における接着層であってもよい。
【０１１２】
この方法は、第３電極グループと第４電極グループとの間に弾性層及びボンディング層の両方を形成する工程を含んでもよい。
【０１１３】
別の方面において、本開示は、アレイ基板及びパッケージ基板を有するオンセル型タッチパネルの製造方法を提供する。いくつかの実施形態において、この製造方法は、第１タッチ電極グループ、第２タッチ電極グループ及び第３電極グループをアレイ基板上に形成する工程を含む。例えば、第１タッチ電極グループ、第２タッチ電極グループ及び第３電極グループは、偏光子層の液晶モジユールに近い側に形成されてもよい。第１タッチ電極グループ、第２タッチ電極グループ及び第３電極グループは、偏光子層の液晶モジユールから離れた側に形成されてもよい。
【０１１４】
いくつかの実施形態において、この方法は、ブラックマトリックス層を液晶モジユール上に形成する工程と、第１タッチ電極グループ、第２タッチ電極グループ及び第３電極グループをブラックマトリックス層上に形成する工程と、を含む。第１タッチ電極グループ、第２タッチ電極グループ及び第３電極グループをアレイ基板上に形成する工程は、透明電極材料層をアレイ基板上に積層し、フォトレジスト層を透明電極材料層上に積層し、マスクプレートを用いてフォトレジスト層を露光する工程と、露光されたフォトレジスト層を現像して第１タッチ電極グループ、第２タッチ電極グループ及び第３電極グループに対応するパターンを取得する工程と、を含んでもよい。パターンには、第３ブリッジを通路内で延在可能にする、一対の隣接する第１タッチ電極ブロックと第２タッチ電極ブロックとの間の通路を含んでもよい。
【０１１５】
いくつかの実施形態において、第２ブリッジ層及び第３ブリッジ層は、第１タッチ電極グループ、第２タッチ電極グループ及び第３電極グループと同一層内に配置される。この方法では、第１タッチ電極グループ、第２タッチ電極グループ及び第３電極グループを形成するのと同一の工程において、第２ブリッジ層及び第３ブリッジ層を形成してもよい。
【０１１６】
この方法は、第１タッチ電極グループ、第２タッチ電極グループ及び第３電極グループ上に絶縁層を形成する工程をさらに含む。絶縁層を形成する工程は、パッケージ基板上にフォトレジスト絶縁材料層を積層し、マスクプレートを用いてフォトレジスト絶縁材料層を露光し、露光されたフォトレジスト絶縁材料層を現像して絶縁層に対応するパターンを取得する工程を含んでもよい。絶縁層は、第１絶縁層及び第２絶縁層を含んでもよい。第１絶縁層は、第１ブリッジ層を第２ブリッジ層から絶縁する。第２絶縁層は、第４ブリッジ層を第３ブリッジ層から絶縁する。
【０１１７】
いくつかの実施形態において、この方法は、絶縁層の、第１タッチ電極グループ、第２タッチ電極グループ及び第３電極グループから離れた側に第１ブリッジ層及び第４ブリッジ層を形成する工程をさらに含む。第１ブリッジ層及び第４ブリッジ層を形成する工程は、パッケージ基板上に金属材料層を積層し、金属材料層上にフォトレジスト層を積層し、マスクプレートを用いてフォトレジスト層を露光し、露光されたフォトレジスト層を現像して第１ブリッジ層及び第４ブリッジ層に対応するパターンを取得する工程を含んでもよい。
【０１１８】
いくつかの実施形態において、第１タッチ電極グループ、第２タッチ電極グループ及び第３電極グループは、絶縁層のアレイ基板に近い側に形成され、第１ブリッジ層及び第４ブリッジ層は、絶縁層のアレイ基板から離れた側に形成される。第１タッチ電極グループ、第２タッチ電極グループ及び第３電極グループは、絶縁層が形成される前に形成され、絶縁層は第１ブリッジ層及び第４ブリッジ層が形成される前に形成されてもよい。いくつかの実施形態において、第１ブリッジ層及び第４ブリッジ層は、絶縁層のアレイ基板に近い側に形成され、第１タッチ電極グループ、第２タッチ電極グループ及び第３電極グループは、絶縁層のアレイ基板から離れた側に形成される。第１ブリッジ層及び第４ブリッジ層は、絶縁層が形成される前に形成され、絶縁層は、第１タッチ電極グループ、第２タッチ電極グループ及び第３電極グループが形成される前に形成されてもよい。
【０１１９】
この方法は、アレイ基板に対向するパッケージ基板（例えば、カラーフィルタ基板）上に第４電極グループを形成する工程をさらに含む。第４電極グループは、各々が各第３電極に対応する複数の第４電極を含む。タッチパネルを平面視した際、各第４電極の投影は、各第３電極の投影と少なくとも部分的に重なる。
【０１２０】
この方法は、第３電極グループと第４電極グループとの間に、タッチにより加わる圧力に応じて変形するように構成される弾性層を形成する工程をさらに含む。弾性層はアレイ基板とパッケージ基板とを接着するための光学透明樹脂層であってもよい。弾性層は、第３電極グループのパッケージ基板に近い側に設けられるアレイ基板内の層であってもよい。弾性層は、第４電極グループのアレイ基板に近い側に設けられるパッケージ基板内の層であってもよい。
【０１２１】
別の方面において、本開示は本開示で述べるタッチパネルを有するタッチ装置（例えば、タッチ表示装置）を提供する。適切なタッチ装置の例には、液晶表示パネル、有機発光表示パネル、電子ペーパー、携帯電話、タブレットコンピュータ、テレビ、モニタ、ノートパソコン、電子アルバム、ＧＰＳ等が含まれるが、これらに限らない。
【０１２２】
本発明の実施形態に関する以上の記載は例示と説明を目的としており、全てを網羅している訳ではなく、また開示された形態そのものに本発明を限定するものでもない。それ故、上記記載は限定ではなく例示を目的としていると見なすべきであり、多くの変更や変形は当業者にとって明らかであろう。本発明の原理とそれが実際に適用される最良の形態を最も説明しやすいような実施形態を選択しそれについて記載することで、特定の用途又は想定される適用に適した本発明の様々な実施形態及び様々な変更を当業者に理解させることを目的としている。本開示に付した請求項及びその均等物により本発明の範囲を定義することが意図され、別途示唆しない限り、すべての用語は合理的な範囲内で最も広く解釈されるべきである。従って、「本発明」、「本開示」又はこれに類する用語は請求項の範囲を必ずしも特定の実施形態に限定せず、本発明の例示的実施形態に対する参照は本発明への限定を示唆するものではなく、かかる限定を推論すべきではない。本発明は付属する請求項の構想と範囲のみにより限定される。さらに、これらの請求項では後に名詞又は要素を伴って「第１」「第２」等という表現を用いる場合がある。特定の数量が示されない限り、このような用語は専用語であると理解すべきであり、修飾された要素の数量が上記専用語により限定されると解釈してはならない。記載した効果や利点はいずれも本発明のすべての実施形態に適用されるとは限らない。当業者であれば、以下の請求項により定義される本発明の範囲から逸脱せずに、記載した実施形態を変形できることが理解されよう。さらに、以下の請求項に明記されているか否かを問わず、本開示の要素及び部品のいずれも公衆に捧げる意図はない。
【図１Ａ】
2019527860.tif 000003
【図１Ｂ】
2019527860.tif 000004
【図２Ａ】
2019527860.tif 000005
【図２Ｂ】
2019527860.tif 000006
【図２Ｃ】
2019527860.tif 000007
【図２Ｄ】
2019527860.tif 000008
【図３Ａ】
2019527860.tif 000009
【図３Ｂ】
2019527860.tif 000010
【図３Ｃ】
2019527860.tif 000011
【図４】
2019527860.tif 000012
【国際調査報告】
2019527860.tif 000013
2019527860.tif 000014
2019527860.tif 000015